(57)【特許請求の範囲】
【請求項１】
入力部を介して、出発地に関する情報及び目的地に関する情報を受け付ける情報受付部と、
前記出発地から前記目的地までの経路を検索する経路検索部と、
前記経路の周辺の施設を検索する施設検索部と、
検索された前記経路及び前記施設の位置を示す施設マークを表示部に表示するとともに、前記経路の周辺に、予め設定されている検索範囲を前記表示部に表示する表示処理部と、
を有し、
前記施設は保育施設であり、
記憶部に各保育施設における待機児童数に関する情報が格納されており、
前記表示処理部は、
前記保育施設の待機児童数に応じて、前記施設マークの表示を変える
ことを特徴とする施設検索システム。
【請求項２】
前記情報受付部は、
前記入力部を介して、前記目的地への到着希望時刻を受け付け、
前記検索範囲は、前記経路から所定距離の範囲、又は経由しても前記目的地への到着希望時刻に到着できる範囲である
ことを特徴とする請求項１に記載の施設検索システム。
【請求項３】
前記入力部を介して、出発希望時刻が入力されるともに、前記表示部に表示されている施設が選択されると、前記選択された施設を経由した場合における前記目的地への到着時刻を算出する算出部を有し、
前記表示処理部は、
該選択された施設を経由した場合における経路を前記表示部に表示するとともに、前記算出部によって算出された前記到着時刻を前記表示部に表示する
ことを特徴とする請求項１に記載の施設検索システム。
【請求項４】
前記経路が徒歩、自家用車及び自転車のいずれか１つによって移動する経路である場合、経路の両端点を中心とする円と、前記経路から所定距離の範囲を前記検索範囲とする
ことを特徴とする請求項１に記載の施設検索システム。
【請求項５】
前記経路が、公共交通機関を用いて移動する経路である場合、前記公共交通機関から乗降可能な場所を中心とする円を前記検索範囲とする
ことを特徴とする請求項１に記載の施設検索システム。
【請求項６】
記憶部に地域毎の治安状況に関する情報が格納されており、
前記表示処理部は、
前記治安状況に応じて、前記施設が表示されている地区の表示を変える
ことを特徴とする請求項１に記載の施設検索システム。
【請求項７】
記憶部に前記施設に関する情報が格納されており、
前記表示処理部は、
予め設定されている条件、又は入力部を介して入力された条件に合致していることを示す推奨マークを、前記条件に合致している施設の前記施設マークに対応付けて前記表示部に表示する
ことを特徴とする請求項１に記載の施設検索システム。
【請求項８】
前記施設マークが前記表示部に複数表示されており、
入力部を介して、複数表示されている前記施設マークのうち、１つが仮選択されると、
算出部が、仮選択された施設マークで示される施設に立ち寄った場合における少なくとも前記目的地への到着時刻を算出し、
前記表示処理部が、
前記仮選択された施設マークで示される施設に立ち寄った場合における経路を表示するとともに、少なくとも前記算出された目的地への到着時刻を前記表示部に表示する
ことを特徴とする請求項１に記載の施設検索システム。
【請求項９】
記憶部に前記施設の特徴に関する情報が格納されており、
前記表示処理部は、
前記施設マークの近傍に、該施設マークで示される施設の特徴を示す情報を表示する
ことを特徴とする請求項１に記載の施設検索システム。
【請求項１０】
ユーザの現在位置を取得し、該取得した現在位置から特定の施設に行くのに要する時間を算出し、該算出した時間から前記現在位置を出発する時刻を算出する算出部を有し、
前記表示部は、前記ユーザが所有しているユーザ端末装置に搭載されており、
前記表示処理部は、
前記表示部に、算出した前記現在位置を出発する時刻を表示する
ことを特徴とする請求項１に記載の施設検索システム。
【請求項１１】
ユーザが所有しているユーザ端末装置に搭載されている通知部と、
前記ユーザの現在位置を取得し、該取得した現在位置から特定の施設に行くのに要する時間を算出し、該算出した時間から前記現在位置を出発する時刻を算出する算出部と、を有し、
前記通知部は、
算出した前記現在位置を出発する時刻から所定時間前になると、通知を行う
ことを特徴とする請求項１に記載の施設検索システム。
【請求項１２】
前記入力部を介して、前記施設を検索する際の検索条件が複数、優先順位を付して入力され、
前記施設検索部は、
前記検索条件の優先順位に対する合致の度合いに応じて優先希望順位を決定し、
前記表示処理部は、
前記優先希望順位に関する情報を前記表示部に表示する
ことを特徴とする請求項１に記載の施設検索システム。
【請求項１３】
施設の検索を行う施設検索システムが、
入力部を介して、出発地に関する情報及び目的地に関する情報を受け付け、
前記出発地から前記目的地までの経路を検索し、
前記経路の周辺の施設を検索し、
検索された前記経路及び前記施設の位置を示す施設マークを表示部に表示するとともに
、前記経路の周辺に、予め設定されている検索範囲を前記表示部に表示し、
前記施設は保育施設であり、
記憶部に各保育施設における待機児童数に関する情報が格納されており、
前記施設検索システムは、
前記保育施設の待機児童数に応じて、前記施設マークの表示を変える
ことを特徴とする施設検索方法。
【発明の詳細な説明】
【技術分野】
【０００１】
本発明は、施設の検索を行う施設検索システム及び施設検索方法の技術に関する。
【背景技術】
【０００２】
近年、子供を産んだ後も働く女性が増加したことにより、保育施設等の検索の必要性が増してきている。
施設検索に関し、例えば、特許文献１に記載の技術が開示されている。特許文献１に記載の技術は、電車の終電時間内に利用可能な最寄りの出発駅と、目的地の最寄り駅とを検索するものである。
【先行技術文献】
【特許文献】
【０００３】
【特許文献１】特開２００６−１１５４６号公報
【発明の概要】
【発明が解決しようとする課題】
【０００４】
保育施設を検索するユーザは、既に就労していることが多く、十分な時間をとることができないことが多い。そのため、効率的な検索手法が望まれている。しかしながら、従来ではユーザが保育施設をインターネットで検索し、その口コミ評価等を吟味し、かつ、ユーザの居住地や、職場との位置関係について、ユーザ自身で情報を収集しなければならず、ユーザに大きな負担がかかっている。
【０００５】
前記したように、保育施設を検索するユーザは、子が幼少のため、行動範囲が限定されたり、保護者の情報収集能力に差があったりすること等が原因で、個人で入手できる保育施設の情報量に限りがある場合がある。また、就労しているユーザは、保育施設を実際に利用している人から情報を入手できる機会が少ないため、保育施設に関する情報量についてユーザ間に個人差が生じる。さらに、検索した保育施設の空き状況によっては、再度、前記した施設検索を行わなければならず、ユーザの大きな負担となっている。また、検索した保育施設と、ユーザの居住地や、職場との位置関係がわかりづらいことが多く、ユーザの通勤時間内に立ち寄ることが可能か否か、家を出る時刻をどの程度早める必要があるか等をユーザ自身が計算し、判断しなければならなかった。
【０００６】
このような背景に鑑みて本発明がなされたのであり、本発明は、効率的な施設検索を実現することを課題とする。
【課題を解決するための手段】
【０００７】
前記した課題を解決するため、本発明は、入力部を介して、出発地に関する情報及び目的地に関する情報を受け付ける情報受付部と、前記出発地から前記目的地までの経路を検索する経路検索部と、前記経路の周辺の施設を検索する施設検索部と、検索された前記経路及び前記施設の位置を示す施設マークを表示部に表示するとともに、前記経路の周辺に、予め設定されている検索範囲を前記表示部に表示する表示処理部と、を有し、前記施設は保育施設であり、記憶部に各保育施設における待機児童数に関する情報が格納されており、前記表示処理部は、前記保育施設の待機児童数に応じて、前記施設マークの表示を変えることを特徴とする。
【発明の効果】
【０００８】
本発明によれば、効率的な施設検索を実現することができる。
【図面の簡単な説明】
【０００９】
【図１】第１実施形態に係る施設検索システムの構成例を示す図である。
【図２】第１実施形態に係る施設検索装置の構成例を示す図である。
【図３】第１実施形態に係るユーザ端末装置の構成例を示す図である。
【図４】第１実施形態に係る保育施設検索方法の手順を示すフローチャートである。
【図５】第１実施形態に係る二次検索処理の手順を示すフローチャートである。
【図６】第１実施形態に係る一次検索結果画面の例を示す図である。
【図７】第１実施形態に係る二次検索結果画面の例を示す図である。
【図８】徒歩圏における二次検索結果の例を示す図である。
【図９】徒歩圏における経路が折れ線である場合における二次検索結果の例を示す図である。
【図１０】公共交通機関圏における二次検索結果画面の例を示す図である。
【図１１】徒歩圏と公共交通機関圏とが混在している場合における二次検索結果画面の例を示す図である。
【図１２】二次検索結果で経路が決定した画面を示す図（その１）である。
【図１３】二次検索結果で経路が決定した画面を示す図（その２）である。
【図１４】二次検索結果で経路が決定した画面を示す図（その３）である。
【図１５】二次検索結果で経路が決定した画面を示す図（その４）である。
【図１６】二次検索結果で経路が決定した画面を示す図（その５）である。
【図１７】第２実施形態に係る二次検索結果画面の例を示す図である。
【図１８】第３実施形態に係る二次検索結果の例を示す図である。
【図１９】第４実施形態に係る二次検索結果の例を示す図である。
【図２０】第５実施形態に係る二次検索結果の例を示す図である。
【図２１】第６実施形態に係る二次検索結果の例を示す図である。
【図２２】第７実施形態に係る一次検索結果の例を示す図である。
【図２３】第８実施形態に係る二次検索結果の例を示す図（その１）である。
【図２４】第８実施形態に係る二次検索結果の例を示す図（その２）である。
【図２５】第９実施形態に係る施設検索システムの構成例を示す図である。
【発明を実施するための形態】
【００１０】
次に、本発明を実施するための形態（「実施形態」という）について、適宜図面を参照しながら詳細に説明する。なお、本実施形態では、検索対象の施設が保育施設である場合について説明するが、これに限らず、塾や、習い事教室等でもよい。
【００１１】
［第１実施形態］
《施設検索システム》
図１は、第１実施形態に係る施設検索システムの構成例を示す図である。
施設検索システム１００は、入力部１１、経路検索部１２、施設検索部１３、算出部１４、表示処理部１５、表示部１６を有している。また、施設検索システム１００は、地図情報２１、交通情報２２、施設情報２３、検索履歴情報２４を有している。
【００１２】
入力部１１は、キーボードや、マウス等、ユーザＨからの検索条件や、出発地、目的地に関する情報等の入力を受け付ける。
【００１３】
経路検索部１２は、入力部１１から取得した出発地、目的地に関する情報や、検索条件等や、地図情報２１、交通情報２２等を基に、出発地から目的地までの経路を検索し、その結果である経路検索結果情報を施設検索部１３や、算出部１４や、検索履歴情報２４へ送る。また、経路検索部１２は経路検索結果情報を表示処理部１５へ送る。
【００１４】
施設検索部１３は、入力部１１から取得した施設の検索条件、経路検索部１２から送られた経路情報、施設情報２３等を基に、経路周辺に存在する施設（ここでは、保育施設）を検索する。そして、施設検索部１３は、検索した施設の情報である施設検索結果情報を算出部１４や、検索履歴情報２４に送る。また、施設検索部１３は施設検索結果情報を表示処理部１５へ送る。
【００１５】
算出部１４は、経路検索部１２から取得した経路検索結果情報、施設検索部１３から取得した施設検索結果情報、地図情報２１、交通情報２２等を基に、出発地から目的地に到達するまでの所要時間等を算出する。そして、算出部１４は、算出した所要時間等の時間情報を検索履歴情報２４に格納する。また、算出部１４は時間情報を表示処理部１５へ送る。
【００１６】
表示処理部１５は、経路検索部１２から経路検索結果情報、施設検索部１３から施設検索結果情報、算出部１４から時間情報を取得し、表示部１６に表示させる。また、表示処理部１５は、必要に応じて検索履歴情報２４を表示部１６に表示させる。
表示部１６は、ディスプレイ等である。
【００１７】
地図情報２１は、地図に関する情報であり、施設の位置情報が、施設情報２３と関連付けられて格納されている。
交通情報２２には、道路における交通量、渋滞情報等の情報が格納されている。
施設情報２３には、保育施設の営業時間、営業日等といった施設に関する情報が格納されている。ちなみに、営業時間とは営業開始時刻から営業終了時刻までの時間であるが、営業開始時刻から受付終了時刻までとしてもよい。
検索履歴情報２４には、経路検索部１２による経路検索結果情報、施設検索部１３による施設検索結果情報、算出部１４による時間情報等の履歴が格納されている。
【００１８】
次に、図２〜図５を参照して、第１実施形態に係る施設検索システム１００を構成する各装置の例を説明する。
【００１９】
《施設検索装置》
図２は、第１実施形態に係る施設検索装置の構成例を示す図である。
施設検索装置３０は、例えば、サーバ等であり、メモリ３１、ＣＰＵ(Central Processing Unit)３３、ＨＤ（Hard Disk）等の記憶装置３４及び送受信装置３５を有する。
そして、記憶装置３４に格納されているプログラムがメモリ３１に展開され、展開されたプログラムがＣＰＵ３３によって実行されることで、処理部３２、処理部３２を構成する情報受付部１７、経路検索部１２、施設検索部１３及び算出部１４が具現化している。
【００２０】
処理部３２は、情報受付部１７、経路検索部１２、施設検索部１３及び算出部１４を制御する。
情報受付部１７は、ユーザ端末装置４０から入力された情報を受け付け、必要に応じて経路検索部１２、施設検索部１３及び算出部１４に受け付けた情報を渡す。
経路検索部１２、施設検索部１３及び算出部１４については、図１で説明済みであるので、ここでは図１と同一の符号を付して説明を省略する。
【００２１】
送受信装置３５には、ユーザ端末装置４０が接続されており、ユーザ端末装置４０との情報を送受信する。また、送受信装置３５には、地図情報２１が格納されている地図情報ＤＢ（Data Base）６１と、交通情報２２が格納されている交通情報ＤＢ６２と、施設情報２３が格納されている施設情報ＤＢ６３とが接続されている。
【００２２】
《ユーザ端末装置》
図３は、第１実施形態に係るユーザ端末装置の構成例を示す図である。
ユーザ端末装置４０は、例えば、個人所有のＰＣ（Personal Computer）や、スマートフォンや、タブレットＰＣや、携帯電話等であり、メモリ４１、ＣＰＵ４３、ＨＤ等の記憶装置４４、送受信装置４５、入力装置４６及び表示装置４７を有する。
そして、メモリ４１のプログラムがＣＰＵ４３によって実行されることで、処理部４２、処理部４２を構成する表示処理部１５が具現化している。
【００２３】
処理部４２は表示処理部１５の制御を行う。
表示処理部１５については、図１で説明済みであるので、ここでは図１と同一の符号を付して説明を省略する。
【００２４】
送受信装置４５は、施設検索装置３０と接続されており、施設検索装置３０と情報を送受信する。
また、記憶装置４４には、検索履歴情報２４が格納されている。検索履歴情報２４については、図１で説明済みであるので、ここでは図１と同一の符号を付して説明を省略する。
そして、入力装置４６は、キーボードや、マウス等であり、図１の入力部１１に相当するものである。
さらに、表示装置４７は、ディスプレイ等であり、図１の表示部１６に相当するものである。
【００２５】
なお、本実施形態では、ユーザ端末装置４０及び施設検索装置３０が施設検索システム１００を構成するとしているが、これに限らない。例えば、経路検索部１２、施設検索部１３、算出部１４、表示処理部１５のうち、少なくとも１つを有する装置がそれぞれ独立して設けられてもよい。また、ユーザ端末装置４０と、施設検索装置３０との機能が、１つの装置にまとめられてもよい。また、本実施形態では、地図情報２１、交通情報２２、施設情報２３が、それぞれ施設検索装置３０の外部に接続されている地図情報ＤＢ６１、交通情報ＤＢ６２、施設情報ＤＢ６３に格納されているとしているが、これに限らない。例えば、地図情報２１、交通情報２２、施設情報２３のうち、少なくとも１つが施設検索装置３０の記憶装置３４に格納されていてもよい。同様に、本実施形態では、検索履歴情報２４がユーザ端末装置４０の記憶装置４４に格納されているとしているが、これに限らない。例えば、検索履歴情報２４が施設検索装置３０の記憶装置３４に格納されてもよいし、ユーザ端末装置４０及び施設検索装置３０の外部に接続されているＤＢに格納されてもよい。
また、ユーザ端末装置４０と、施設検索装置３０との間に情報を中継する図示しない情報中継装置が接続されてもよい。
【００２６】
《フローチャート》
（全体処理）
図４は、第１実施形態に係る保育施設検索方法の手順を示すフローチャートである。適宜、図１及び図２を参照する。
まず、入力部１１を介して、出発情報や、到着情報や、経由情報が設定されることで、情報受付部１７は、出発情報や、到着情報を受け付ける（Ｓ１０１）。出発情報は、出発地や、出発希望時刻等を含む情報である。また、到着情報は、目的地や、到着希望時刻等を含む情報である。さらに、経由地に関する情報である経由情報が受け付けられてもよい。出発情報、到着情報は、行きもしくは帰りのみが設定されてもよいし、往復の設定がされてもよい。
次に、入力部１１を介して、検索対象施設が設定されることで、情報受付部１７は検索対象施設の情報（検索対象施設情報）を受け付ける（Ｓ１０２）。ステップＳ１０２では、例えば、検索対象施設情報として、保育施設や、塾や、習い事教室等の情報が設定される。ここでは、検索対象施設として保育施設が設定されたものとする。
【００２７】
次に、入力部１１を介して、検索条件の設定が行われることで、情報受付部１７は検索条件を受け付ける（Ｓ１０３）。検索条件には、後記する検索距離、使用する交通手段、行政による認可、土日祝日の営業、費用、駐車場の有無等についての、検索における、ユーザＨの希望条件が含まれる。
続いて、経路検索部１２は、ステップＳ１０１で経由地に関する情報が設定済み（経由地設定済み）か否かを判定する（Ｓ１０４）。
ステップＳ１０４の結果、経由地に関する情報が設定済みである場合（Ｓ１０４→Ｙｅｓ）、処理部３２はステップＳ１０８へ処理を進める。
【００２８】
ステップＳ１０４の結果、経由地に関する情報が設定済みでない場合（Ｓ１０４→Ｎｏ）、経路検索部１２は一次検索を行う（Ｓ１０５）。一次検索では、ステップＳ１０１で設定された出発地から目的地までの経路検索を行う。一次検索では、複数の経路が検索される。なお、一次検索では、一般的な経路検索技術が用いられるため、ここでは詳細な説明を省略する。
【００２９】
そして、表示処理部１５は、表示部１６に一次検索の結果（一次検索結果）を表示する（Ｓ１０６）。一次検索結果については後記する。
続いて、入力部１１を介して、一次検索の結果、表示されている複数の経路のうちから１つの経路が選択されることで、情報受付部１７は経路の選択を受け付ける（Ｓ１０７）。
【００３０】
続いて、ステップＳ１０７で選択された経路について、処理部３２が二次検索を行う（Ｓ１０８）。二次検索では、ステップＳ１０７で選択された経路周辺の保育施設のうち、ステップＳ１０３で設定された検索条件等に適合する保育施設を検索する。ステップＳ１０８の処理については、後記して説明する。
【００３１】
そして、表示処理部１５は、二次検索の結果（二次検索結果）を表示部１６に表示する（Ｓ１０９）。二次検索結果については後記する。
続いて、入力部１１を介して、二次検索の結果、表示されている複数の保育施設のうちから１つの保育施設が選択されることで、情報受付部１７は、保育施設の選択を受け付ける（Ｓ１１０）。
そして、算出部１４は、ステップＳ１１０で選択された保育施設を経由した場合における各ノードにおける出発時刻等の経路情報を算出し、表示処理部１５が、この経路情報を表示部１６に表示する（Ｓ１１１）。ステップＳ１１１の処理で表示される画面については後記する。ちなみに、各ノードにおける到着時刻は、後記するように図５のステップＳ２０３で算出されている。
そして、処理部３２は検索された経路情報及び保育施設に関する情報を検索履歴情報２４として記憶装置３４に格納する（Ｓ１１２）。検索履歴情報２４に格納された情報は、いつでも表示部１６に表示することが可能である。ステップＳ１１２では、ユーザ端末装置４０の処理部４２が検索された経路情報及び保育施設に関する情報を検索履歴情報２４として記憶装置４４に格納してもよい。
【００３２】
そして、処理部３２は、入力部１１を介して、保育施設、経路の再選択等が行われたか否かを判定する（Ｓ１１３）。
ステップＳ１１３の結果、保育施設の再選択が行われた場合（Ｓ１１３→Ｙｅｓ（施設））、処理部３２はステップＳ１１１へ処理を戻す。
また、ステップＳ１１３の結果、経路の再選択が行われた場合（Ｓ１１３→Ｙｅｓ（経路））、処理部３２はステップＳ１０８へ処理を戻す。
そして、ステップＳ１１３の結果、保育施設又は経路の再選択が行われない場合（Ｓ１１３→Ｎｏ）、処理部３２は処理を終了する。
【００３３】
（二次検索処理）
図５は、第１実施形態に係る二次検索処理の手順を示すフローチャートである。なお、図５のフローチャートは、図４のステップＳ１０８を詳細に説明するためのものである。
まず、施設検索部１３は、施設情報２３を参照して、経路の周辺にある保育施設をすべて検索する（Ｓ２０１）。ここで、検索対象となる保育施設は、図４のステップＳ１０２で設定された保育施設である。また、ステップＳ２０１において、施設検索部１３は、図４のステップＳ１０１で設定された出発希望時刻と、到着希望時刻において営業している保育施設を検索するようにしてもよい。あるいは、施設検索部１３は、施設を経由しても到着希望時刻に目的地に到着可能であるような施設を検索するようにしてもよい。また、ステップＳ１０３で受け付けられた検索条件において、駐車場の有無や、駐輪場の有無等が設定されていれば、それらの検索条件を満たす保育施設を検索する。
さらに、施設情報２３が複数のＤＢに分かれているとき、施設検索部１３は、それぞれのＤＢを検索する。
【００３４】
次に、施設検索部１３は、ステップＳ２０１で検索した保育施設の中から未処理の保育施設を１つ選択する（Ｓ２０２）。
そして、算出部１４は、ステップＳ２０２で選択した保育施設を経由地としたときの各ノードにおける到着時刻を算出する（Ｓ２０３）。ここで、ノードとは、選択された保育施設や、乗り降りする駅や、目的地等である。
【００３５】
その後、施設検索部１３は、施設情報２３を参照して、処理対象となっている保育施設の条件が、図４のステップＳ１０３で設定された検索条件に適合しているか否かを判定する（Ｓ２０５）。
【００３６】
ステップＳ２０５の結果、満たしていない場合（Ｓ２０５→Ｎｏ）、施設検索部１３は処理対象となっている保育施設の情報を破棄し（Ｓ２０４）、ステップＳ２０７へ処理を進める。
ステップＳ２０５の結果、満たしている場合（Ｓ２０５→Ｙｅｓ）、施設検索部１３は処理対象となっている保育施設の情報を検出施設情報として保持する（Ｓ２０６）。
そして、施設検索部１３は、ステップＳ２０１で検索したすべての保育施設について、ステップＳ２０２〜Ｓ２０６の処理を完了したか否かを判定する（Ｓ２０７）。
ステップＳ２０７の結果、完了していない場合（Ｓ２０７→Ｎｏ）、施設検索部１３はステップＳ２０２へ処理を戻す。
ステップＳ２０７の結果、完了している場合（Ｓ２０７→Ｙｅｓ）、処理部３２は図４のステップＳ１０９へ処理をリターンする。
【００３７】
《画面例》
次に、図６〜図１６を参照して、第１実施形態に係る画面例を示す。適宜、図１を参照する。なお、図６〜図１６において、同様の構成については同一の部号を付して、適宜説明を省略する。また、図６〜図１６では、図が煩雑になるのを防ぐため、画面を簡略化してあるが、実際には各画面や、経路は地図上に示されている。
（一次検索結果）
図６は、第１実施形態に係る一次検索結果画面の例を示す図である。図６に示す一次検索結果画面は、図４のステップＳ１０６において表示される画面である。
一次検索結果画面２００は、出発地２０１と目的地２０２との間の経路として３つの経路２１１〜２１３が検出された例を示している。ここで、経路２１１は経由地２２１（「経由地Ａ」）を経由し、経路２１２は経由地２２２（「経由地Ｂ」）を経由し、経路２１３は経由地２２３（「経由地Ｃ」）を経由している。
ここでは、経路２１２が選択されるものとする。入力部１１を介して、例えば経由地２２２や、経路２１２が選択されると、施設検索部１３等による二次検索が行われ、図７の二次検索結果画面３００が表示部１６に表示される。
【００３８】
なお、図６では、各経路２１１〜２１３の経由地として、代表経由地２２１〜２２３が１つずつ表示されているが、各経路２１１〜２１３において、複数の経由地が表示されてもよい。
また、図６において、各経路２１１〜２１３を選択した場合における目的地２０２への到着時刻等が表示されてもよい。
【００３９】
（二次検索結果）
図７は、第１実施形態に係る二次検索結果画面の例を示す図である。図７に示す二次検索結果画面は図４のステップＳ１０９で表示される画面である。また。図７において、図６と同様の構成には同一の符号を付して説明を省略する。
二次検索結果画面３００は、図６における経路２１２が選択された結果であり、図６の経由地２２２の詳細な経由地である経由地３０１〜３０３が表示されている。
そして、経路２１２の周囲には二次検索の結果、検出された保育施設を示す保育施設マーク（施設マーク）３２１が表示されている。
以下、図８〜図１０を参照して、二次検索結果の詳細を説明する。
【００４０】
（徒歩圏の場合）
図８は、徒歩圏における二次検索結果の例を示す図である。
なお、本実施形態において、徒歩圏とは、徒歩のみならず、自家用車、自転車等による移動圏も含んでいる。
図８では、出発地４０１及び目的地４０２を中心とし、半径の長さが検索距離４５１である半円と、経路４１１からの距離が検索距離４５１である長方形とからなる競技トラック形状の検索範囲４２１が保育施設マーク４３０とともに表示されている。図８に示すように、検索距離４５１とは、検索範囲４２１を決めるためのパラメータであり、図４のステップＳ１０３で設定されるものである。検索距離４５１は、所定距離としてもよいし、所定時間内に立ち寄ることができる距離としてもよい。あるいは、検索距離４５１を設定せずに、経由しても目的地への希望到着時刻に到着できる範囲を検索範囲としてもよい。「経由しても目的地への希望到着時刻に到着できる」とは、出発地を出発希望時刻に出発し、検索範囲内の施設を経由しても目的地へ希望到着時刻に到着できるという意味である。なお、到着希望時刻を５分まで遅らせることが可能等、到着希望時刻に所定時間の余裕が設定されることも可能である。検索範囲を所定距離とするか、所定時間内に立ち寄ることができる距離とするかは、図４のステップＳ１０３において設定される検索条件による。また、ステップＳ１０３において、検索範囲をどれくらいにするかが設定されなかった場合、デフォルトの検索範囲が用いられる。
【００４１】
なお、円が破線で示されている保育施設マーク４３１（４３０）は、現在閉鎖されている保育施設、あるいは出発時刻と、到着時刻との間で営業していない時間を有する保育施設を示している。このように、表示処理部１５は、現在閉鎖されている、あるいは営業時間外の保育施設マーク４３１を表示する際に、その他の保育施設マーク４３０とは異なる表示をしてもよい。現在閉鎖しているか否かは、施設検索部１３が施設情報２３に格納されている情報を参照することと判定される。
なお、図４のステップＳ１０３において、ユーザＨが検索条件を設定する際に、現在閉鎖されている保育施設を非表示とする条件を設定すれば、保育施設マーク４３１は表示されない。
【００４２】
また、図８では、保育施設マーク４３２や、保育施設マーク４３３のように、検索範囲４２１の外にある保育施設を示す保育施設マーク４３０も表示されている。このように、第１実施形態に係る施設検索システム１００は、検索範囲４２１の外にある保育施設も表示する。そして、ユーザＨは、検索範囲４２１の内側にある保育施設マーク４３０を自身で確認する。このように、検索範囲４２１の外にある保育施設マーク４３０も表示することで、検索範囲４２１の外に少しだけ外れているからといって、その保育施設が足切りにされることがなくなる。これにより、ユーザＨは、検索範囲４２１から少しだけ外れていても、立地条件等が良ければ、その保育施設を候補として考えることができる。
【００４３】
ここでは、表示処理部１５は、検索範囲４２１の外にある保育施設も表示しているが、検索範囲４２１の内側にある保育施設のみを表示してもよい。
【００４４】
なお、本実施形態では、検索範囲４２１の外にある保育施設もすべて表示しているが、検索範囲４２１の外にあるが、検索範囲４２１から所定距離以内にある保育施設が表示されるようにしてもよい。
また、図８の例では、保育施設マーク４３３は、検索範囲４２１の内に表示されている保育施設マーク４３０と同様の表示がなされているが、検索範囲４２１の外にある保育施設マーク４３３は検索範囲４２１の内にある保育施設マーク４３０より薄く表示される等、検索範囲４２１の内外で保育施設マーク４３０の表示を区別してもよい。
【００４５】
さらに、保育施設マーク４３０がマウス等でクリックされると、符号４４１に示すように、その保育施設のＨＰ（Home Page）のＵＲＬ（Uniform Resource Locator）等といった保育施設の情報が表示される。ユーザＨがマウスで符号４４１に表示されているＵＲＬをクリックすると、その保育施設のＨＰが表示されるようにしてもよい。
【００４６】
図９は、徒歩圏における経路が折れ線である場合における二次検索結果の例を示す図である。
経路５１１が折れ線となっていても、出発地４０１及び目的地４０２から半径の長さが検索距離の半円と、経路４１１からの距離が検索距離である多角形からなる形状の内側が検索範囲５２１となる。二次検索の結果、検出される保育施設及び保育施設マークについては、図８と同様であるので、符号及び説明を省略する。
【００４７】
（公共交通機関圏の場合）
図１０は、公共交通機関圏における二次検索結果画面の例を示す図である。
図１０では、出発駅（出発地）６０１から電車に乗り、駅（経由地）６０２，６０３を通過して、到着駅（目的地）６０４に到着する経路６１１〜６１３が示されている。ここで、駅６０２，６０３は、ユーザＨが乗車している電車は停車するが、ユーザＨが降りることを想定していない駅である。
そして、検索範囲６２１は、出発駅６０１からの半径が検索距離である円の内側となっている。同様に、検索範囲６２２〜６２４は、駅６０２，６０３及び到着駅６０４それぞれからの半径が検索距離である円の内側となっている。
これは、公共交通機関では、駅周辺でのみ保育施設に立ち寄ることができるためである。
なお、駅６０２，６０３における検索範囲６２２，６２３は、駅６０２，６０３でユーザＨが途中下車して保育施設マーク６３０が示す保育施設に立ち寄る場合について示している。すなわち、検索範囲６２２又は検索範囲６２３の内側にある保育施設マーク６３０が示す保育施設に立ち寄る場合、ユーザＨは駅６０２又は駅６０３で途中下車する必要がある。言い換えれば、出発駅６０１、駅６０２，６０３、到着駅６０４は乗降可能な場所である。
【００４８】
二次検索の結果、経路６１１〜６１３の周囲にある保育施設が保育施設マーク６３０として表示されている。また、円が破線で示されている保育施設マーク６３１（６３０）は、現在閉鎖中、あるいは出発時刻と、到着時刻との間で営業していない時間を有する保育施設であることを示している。また、保育施設マーク６３２は、検索範囲６２１〜６２４の外にある保育施設であることを示している。
【００４９】
なお、検索範囲６２１〜６２４の大きさは、駅の種類に応じて変更可能である。例えば、駅６０２，６０３が乗換駅であれば、検索範囲６２２，６２３は大きく設定される。また、駅６０２，６０３が乗換駅であり、乗換時間が多いとき、検索範囲６２２，６２３は、さらに大きく設定される。つまり、表示処理部１５は、乗換時間（乗り換えに必要な時間）に比例して検索範囲６２２，６２３の大きさを変えることも可能である。
【００５０】
また、図１０では、出発駅６０１、駅６０２，６０３、到着駅６０４の間の各経路は直線状となっているが、経路６１１〜６１３が折れ線あるいは曲線であっても同様である。
【００５１】
（徒歩圏と公共交通機関とが混在している場合）
図１１は、徒歩圏と公共交通機関圏とが混在している場合における二次検索結果画面の例を示す図である。
図１１では、自宅（出発地）７０１からバス停留所（経由地）７０２までの経路７１１、バス停留所７０２から駅（経由地）７０３までの経路７１２、駅７０３から駅（経由地）７０４までの経路７１３、駅７０４から目的地７０５までの経路７１４が示されている。つまり、ユーザＨは、まず、自宅７０１からバス停留所７０２まで徒歩で向かい、バス停留所７０２からバスで駅７０３へ向かう。そして、ユーザＨは、駅７０３で電車に乗ると、駅７０４で下車し、駅７０４から徒歩で目的地７０５まで向かう。
【００５２】
なお、バス停留所７０２と、駅７０３は乗降可能な場所である。
ここで、経路７１１は徒歩圏であるため、図８で示される検索範囲４２１と同様の手法による検索範囲７２１が設定される。同様に、経路７１４も徒歩圏であるため、図８で示される検索範囲４２１と同様の手法による検索範囲７２３が設定される。
【００５３】
また、経路７１２及び経路７１３は公共交通機関圏であるため、図１０と同様の手法でバス停留所７０２及び駅７０３，７０４の周囲に円形の検索範囲７２２が設定される。ただし、バス停留所７０２及び駅７０４は、徒歩圏の検索範囲７２１，７２３にそれぞれ含まれているため、駅７０３の周囲にのみ、円形の検索範囲７２２が設定される。
経路７１１〜７１４は、移動手段に応じて色分けされて表示されてもよい。
なお、図１１に表示されている保育施設マークは図８や、図１０と同様であるので、ここでは符号及び説明を省略する。
なお、徒歩圏の経路７１１，７１４が折れ線で示される場合は、検索範囲７２１，７２３の形状が、図９で示される検索範囲５２１のようになる（ここでの説明を省略する）。
【００５４】
（経路決定）
次に、図１２〜図１６を参照して、経路決定画面について説明する。
（徒歩圏の場合）
図１２は、図８で示される二次検索結果で経路が決定した画面を示す図である。
図１２において、図８と同様の要素については、同一の符号を付して説明を省略する。
図１２に示すように、二次検索の結果、検出された保育施設を示す保育施設マーク４３０のうち、保育施設マーク４３４が選択されると、出発地４０１から保育施設マーク４３４で示される保育施設を経由して、目的地４０２に向かう経路４４２，４４３が表示される。
そして、図８における保育施設マーク４３１や、保育施設マーク４３２，４３３は、図１２に示す画面では非表示となっているが、それ以外の保育施設マーク４３０は表示のままとなっている。これは、保育施設マーク４３１が閉鎖中の保育施設、あるいは出発時刻と、到着時刻との間で営業していない時間を有する保育施設を示しており、必要性が低いためである。同様に、保育施設マーク４３２，４３３は、元々検索範囲４２１の外にある保育施設マーク４３０であるので必要性が低いため表示されなくなる。
【００５５】
図１３は、図９で示される二次検索結果で経路が決定した画面を示す図である。
図１３において、図９と同様の要素については、同一の符号を付して説明を省略する。
図１３に示すように、二次検索の結果、検出された保育施設を示す保育施設マークのうち、保育施設マーク５２１が選択されると、図９で示される経路５１１の一部が、保育施設マーク５２１へ向かう経路５３１，５３２として表示される。そして、経路５１１の一部が、経路５３１，５３２に変更となるにともない、経路から外された経路５１１の一部（経路５３３）が破線で示されている。なお、経路５３３の部分は、非表示としてもよい。
【００５６】
（公共交通機関圏の場合）
図１４は、図１０で示される二次検索結果で経路が決定した画面を示す図である。
図１４において、図１０と同様の要素については、同一の符号を付して説明を省略する。
図１４に示すように、二次検索の結果、検出された保育施設を示す保育施設マークのうち、保育施設マーク６４１が選択されると、経路６１１〜６１３に加えて、駅６０３から保育施設マーク６４１で示される保育施設へ向かう経路６１４が追加表示されている。また、保育施設マーク６４１で示される保育施設から駅６０３へ向かう経路６１５が追加表示されている。
すなわち、図１４に示す経路６１１〜６１５では、ユーザＨは出発駅６０１から駅６０３に到着すると（経路６１１，６１２）、一旦、駅６０３で途中下車して、保育施設マーク６４１で示される保育施設へ徒歩で向かう（経路６１４）。そして、ユーザＨは保育施設マーク６４１で示される保育施設で子供を預けた後、駅６０３へ向かい（経路６１５）、駅６０３から到着駅６０３へ向かう（経路６１３）。
【００５７】
なお、図１０における保育施設マーク６３１や、保育施設マーク６３２が図１４では非表示となっているが、これは図１２と同様の理由によるものである。
【００５８】
（徒歩圏と公共交通機関とが混在している場合）
図１５は、図１１で示される二次検索結果で経路が決定した画面を示す図である。
図１５において、図１１と同様の要素については、同一の符号を付して説明を省略する。
図１５では、図１１の徒歩圏における検索範囲７２１内の保育施設マーク７３１が選択された場合における経路を示している。
図１５で示される経路では、ユーザＨは、自宅７０１を出発後、徒歩で保育施設マーク７３１によって示される保育施設へ向かう（経路７１５）。その後、保育施設マーク７３１で示される保育施設で子供を預けた後、徒歩でバス停留所７０２へ向かう（経路７１６）。以降の経路は、図１１と同様であるので、説明を省略する。
また、図１５では、それぞれのノードにおける出発時刻、到着時刻がそれぞれ表示されている（符号７３３）。それぞれのノードにおける出発時刻、到着時刻は、図４のステップＳ１１１の段階において算出部１４が算出したものである。ちなみに、図１２〜図１４では各ノードの出発時刻、到着時刻が表示されていないが、図１５と同様に各ノードにおける出発時刻、到着時刻が表示されてもよい。
【００５９】
図１６は、図１１で示される二次検索結果で経路が決定した画面を示す別の図である。
図１６において、図１１と同様の要素については、同一の符号を付して説明を省略する。
図１６では、駅７０３の周囲における検索範囲７２２内の保育施設マーク７３２が選択された場合における経路を示している。
図１６において、自宅７０１から駅７０３までの経路７１１，７１２は、図１１と同様であるので、説明を省略する。ユーザＨは駅７０３に到着すると、一旦、駅７０３の外に出て、保育施設マーク７３２へ徒歩で向かう（経路７１８）。そして、ユーザＨは、保育施設マーク７３２で示される保育施設で子供を預けた後、駅７０３へ向かう（経路７１９）。以降の経路は、図１１と同様であるので、説明を省略する。
また、図１６では、図１５と同様、それぞれのノードにおける出発時刻、到着時刻がそれぞれ表示されている（符号７３４）。
【００６０】
なお、図１１では表示されているが、図１５、図１６では表示されていない保育施設マークがあるが、これは図１２〜図１４と同様の理由によるものである。
【００６１】
なお、検索範囲は移動手段によって変更されてもよい。例えば、徒歩であれば検索範囲は小さくなり、自動車で移動する場合は検索範囲を広くする。
【００６２】
第１実施形態によれば、働く母親のように、時間のない人でも通勤途中で子供を預けることができる保育施設を効率的に検索することができる。
また、通勤経路の周囲の保育施設を検索可能とすることで、複数の地域にまたがって保育施設の検索が可能となる。これにより、ユーザＨが居住している地域にこだわることがなくなり、保育児童を分散させることができる。そのため、待機児童の低減を促すことが可能となる。
なお、子供を満員電車に乗せたくないことが検索条件として設定されている場合、検索範囲が自宅からの徒歩圏のみに限定されてもよい。
【００６３】
［第２実施形態］
（待機児童の視覚化）
図１７は、第２実施形態に係る二次検索結果の例を示す図である。なお、図１７〜図２１、図２３、図２４では、図が煩雑になるのを避けるため、図１１〜図１６と同様の構成については、適宜符号を省略している。また、第２〜第８実施形態において、施設検索システム１００や、施設検索装置３０、ユーザ端末装置４０の構成は、図１〜図３で示されるものと、同様であるので、図示及び説明を省略する。
施設情報２３に、各保育施設における待機児童数が格納されていれば、図１７のように、待機児童の情報を二次検索結果に反映することができる。
図１７では、符号８０１で示すように待機児童数の多い保育施設ほど保育施設マークが大きく表示され、符号８０２で示すように待機児童数の少ない保育施設ほど保育施設マークが小さく表示されている。
なお、図１７では、保育施設マークの大きさで待機児童数を示しているが、例えば、赤は待機児童数が多く、青は待機児童数が少ない等、色で待機児童数が示されてもよい。
このようにすることで、待機児童数の数が視覚的に分かるので、保育施設の選択が非常に容易となる。
【００６４】
また、図１７では、符号８１１で示すように、所得制限あり等といった入園に対する制限がある保育施設の保育施設マークを三角で表示している。さらに、図１７では、駐車場を有する保育施設の保育施設マークを符号８１２で示すように四角で表示している。そして、入園に対する制限があり、かつ、駐車場を有する保育施設の保育施設マークを符号８１３で示すように三角と四角とが合わさった形状で表示されている。
【００６５】
このようにすることで、待機児童数が少なくても、入園に対する制限や、駐車場のあり・なし等といった情報を一目で認識できるため、保育施設の検索を効率的に行うことができる。
なお、図１７では、入園に対する制限のある保育施設マークの形を変えて示しているが、所定の色で示してもよい。
【００６６】
［第３実施形態］
（治安状況の表示）
図１８は、第３実施形態に係る二次検索結果の例を示す図である。
図１８では、符号８２１〜８２３で示されているように、地図が治安状況によって区分けされている。このような画面は、地図情報２１に治安状況に関する情報（犯罪件数や、巡回警備の有無等）が格納されることで実現できる。なお、図１８では、符号８２１が最も治安がよく、符号８２３が最も治安が悪く、符号８２２では治安が中ほどである。
ここでは、ドット及び斜線で治安の違いが表現されているが、色等で表現されてもよい。
このようにすることで、より安全な保育施設の検索を容易に行うことができる。
また、第３実施形態によれば、塾や、習い事について、施設検索システム１００を適用した場合、子供だけでの移動に安全な施設を容易に検索することができる。
【００６７】
［第４実施形態］
（推奨保育施設の表示）
図１９は、第４実施形態に係る二次検索結果画面の例を示す図である。
図１９では、表示されている保育施設マークのうち、推奨度の高い保育施設（推奨保育施設）に推奨マーク８３１が表示されている。
このような推奨保育施設の表示は、空きがあり、費用が所定値以下であり、駅から半径が所定値以内の範囲にある等といった条件に合致する保育施設を、施設検索部１３が検索することで行われる。
【００６８】
そして、例えば、図４のステップＳ１０３で設定された検索条件との合致度を算出し、該合致度が所定の値以上である保育施設を推奨保育施設として、該当する保育施設マークの近傍に推奨マーク８３１を表示する。この場合、二次検索結果画面には、図４のステップＳ１０３で設定された検索条件に合致しない保育施設マークも表示されることとなる。
【００６９】
前記した条件は、施設検索部１３が予め設定されている条件に合致するか否かで推奨保育施設であるか否かを判定しているが、ユーザＨが推奨保育施設となる条件を設定するようにすることもできる。例えば、費用を推奨条件から除外し、早朝又は深夜営業ありを推奨条件として設定すれば、高くても早朝又は深夜の営業時間が長い保育施設が推奨保育施設として抽出される。
【００７０】
［第５実施形態］
（保育施設の仮選択）
図２０は、第５実施形態に係る二次検索結果画面の例を示す図である。
図２０では、二次検索の結果、表示される保育施設マークの１つ（保育施設マーク８１０）に、例えば、マウスポインタ８４１がおかれると（仮選択されると）、その保育施設マーク８１０が示す保育施設を通る経路８４２，８４３と、その保育施設マーク８１０で示される保育施設を経由した場合の所要時間、目的地への到着時刻等が吹き出し８４４として一時的に表示される。
そして、他の保育施設マークにマウスポインタがおかれると、その保育施設を経由した場合の所要時間、目的地への到着時刻等が吹き出しとして一時的に表示される。なお、マウスポインタがおかれた保育施設を経由した場合の所要時間、目的地への到着時刻等は、算出部１４によって算出される。
このようにすることで、保育施設を選択したときの経路や、所要時間、到着時刻等を容易に比較できる。
【００７１】
［第６実施形態］
（保育施設特徴の表示）
図２１は、第６実施形態に係る二次検索結果例を示す図である。
図２１では、保育施設における特徴が特徴マーク１００１として表示されている。すなわち、特徴マーク１００２（１００１）は保育施設マーク１０１１で示される保育施設が行政による認可を受けていることを示しており、特徴マーク１００３（１００１）は保育施設マーク１０１２で示される保育施設に送迎バスによる送迎サービスがあることを示している。このような特徴マーク１００１は施設情報２３に該当する情報を格納しておくことで実現可能である。
【００７２】
なお、図２１では、行政による認可を受けていること、送迎バスによる送迎サービスがあることを示す特徴マーク１００１を示しているが、これ以外の特徴マーク１００１も表示可能である。例えば、外でも遊べる運動場付きであることを示す特徴マーク１００１（例えば、ブランコや滑り台の画像）や、子供一人あたりに対する保育士が多いことを示す特徴マーク１００１（例えば、保育士の笑顔の画像）や、早朝又は夜間の営業時間が長いことを示す特徴マーク１００１（例えば、時計の画像）、土日祝日も営業中であることを示す特徴マーク１００１（例えば、カレンダの土日祝日の部分の画像）等が表示可能である。また、複数の特徴を示す特徴マーク１００１が重ねて表示されたり、並べて表示されたり、順番に表示されたりしてもよい。また、マウスポインタを保育施設マーク上におくと、その保育施設マークの特徴マーク１００１が表示されるようにしてもよい。
【００７３】
このようにすることで、ユーザＨはその保育施設の特徴を一目で認識できるので、保育施設の選択が容易にできるようになる。
【００７４】
［第７実施形態］
（推奨経路の検索）
図２２は、第７実施形態に係る一次検索結果の例を示す図である。図２２の一次検索結果画面は図４のステップＳ１０６で表示される画面である。
図２２では、一次検索の結果、表示される経路が推奨度によって区別されている。図２２では、経路の推奨度が経路の太さで示されている。すなわち、最も太い経路９０１が最も推奨度「高」であり、最も細い経路９０３が最も推奨度「低」であり、中間の太さの経路９０２が推奨度「中」である。
【００７５】
ここで、推奨度とは、治安状況、車の多い道（国道等）を横切るか否か等という子供にとっての経路の安全性を示す数値である。このような経路の検索は、治安状況、車の多い道（国道等）を横切るか否か等といった事項を予め評価値として設定しておくことで実現可能である。例えば、経路検索部１２は、初期値として評価値「Ｎ」を設定しておき、治安状況が「良」であれば、経路検索部１２は、評価値に対して「１０」を加算し、治安状況が「悪」であれば経路検索部１２は評価値から「１０」を減算する。また、国道等、車の多い道を横切る場合、経路検索部１２は、評価値から「２」を減算する。そして、経路検索部１２は、例えば、最終的な評価値が第１の閾値以上であれば、推奨度「高」の経路とし、第２の閾値未満であれば推奨度「低」の経路とする。また、経路検索部１２は、最終的な評価値が第１の閾値未満であり、第２の閾値以上であれば推奨度「中」とする。
【００７６】
このような評価の対象としては、歩道や、スクールゾーンが整備されているか、街灯が充実しているか否か、裏道を通るか否か、繁華街を通るか否か等がある。これらの情報は、地図情報２１に格納されればよい。なお、裏道の設定や、繁華街の設定は、ソフトの設計者等が予め設定しておくことが望ましい。
【００７７】
このようにすることで、安全な経路の検索と、その近くにある保育施設の検索が非常に容易となる。
また、第７実施形態によれば、塾や、習い事について、施設検索システム１００を適用した場合、子供だけの移動に安全な施設を容易に検索することができる。
【００７８】
［第８実施形態］
図２３及び図２４は、第８実施形態に係る二次検索結果画面の例を示す図である。
第８実施形態では、ユーザＨが複数の推奨条件に優先順位をつけ、この優先順位との合致度が高い順に優先希望順位を表示している。
ここでは、ユーザＨが検索条件の優先順位を設定すると、施設検索部１３が設定された検索条件毎に評価値を設定する。そして、施設検索部１３は、検索条件に適合する保育施設毎に評価値を加算し、最終的な評価値の大きさに従って優先希望順位を決定する。
【００７９】
例えば、ユーザＨが、「家から近い」を最も優先順位の高い検索条件とし、「駐車場がある」を２番目に優先順位が高い検索条件とする等、優先順位を付して５つの検索条件を設定したとする。
施設検索部１３は、最も優先順位が高い検索条件の評価値を「５」、２番目に優先順位が高い検索条件の評価値を「４」、３番目に優先順位が高い検索条件の評価値を「３」、４番目に優先順位が高い検索条件の評価値を「２」、最も優先順位の低い検索条件の評価値を「１」とする。ちなみに、評価値の設定は、これに限らない。
【００８０】
そして、施設検索部１３は、最も優先順位の高い検索条件に合致する保育施設に評価値「５」を加算する。同様に、施設検索部１３は、２番目に優先順位の高い検索条件に合致する保育施設に評価値「４」を加算する。
例えば、「家から近い」を最も優先順位の高い検索条件とし、「駐車場がある」を２番目に優先順位が高い検索条件とした場合、「家から近く」かつ「駐車場がある」保育施設の評価値を「５＋４＝９」とする。
このようにして、施設検索部１３は保育施設毎に評価値の加算を行い、最終的な合計評価値の高い順に優先希望順位を決定する。
【００８１】
例えば、図２３に示す例では、優先希望順位が高い上位５つの保育施設マークに、優先希望順位を示す吹き出し１１００が表示されている。すなわち、吹き出し１１０１（１１００）が表示されている保育施設マークが示す保育施設は、合計評価値が最も高い保育施設である。同様に、吹き出し１１０２（１１００）が表示されている保育施設マークが示す保育施設は、合計評価値が２番目に高い保育施設である。以下、吹き出し１１０３〜１１０５（１１００）が表示されている保育施設マークが示す保育施設は、合計評価値が３〜５番目に高い保育施設である。
【００８２】
ここでは、優先希望順位が上位５つの保育施設（保育施設マーク）に優先希望順位を示す吹き出し１１００が表示されているが、これに限らない。例えば、上位３つの保育施設（保育施設マーク）に希望優先順位を示す吹き出し１１００が表示されてもよい。あるいは、すべての保育施設（保育施設マーク）に優先希望順位を示す吹き出し１１００が表示されてもよい。
また、図２３では、二次検索処理の終了後、優先希望順位を示す吹き出し１１００が保育施設の選択が行われるまで表示された状態となっているものとしているが、これに限らない。例えば、ユーザＨがマウスポインタを保育施設マークにおくと、その保育施設マークに該当する保育施設の優先希望順位を示す吹き出し１１００が一時的に表示されてもよい。
どの優先希望順位まで表示するか、又は、吹き出し１１００の表示タイミングは、ユーザＨが入力部１１を介して設定するようにしてもよい。
【００８３】
また、図２４に示すように、保育施設の名称が優先希望順位毎にリスト１１１１に表示されてもよい。リスト１１１１は、例えば、上位５つまで表示してもよいし、画面上に表示されているすべての保育施設マークに該当する保育施設の優先希望順位が表示されてもよい。どの優先希望順位まで表示するかは、ユーザＨが設定するようにしてもよい。
【００８４】
なお、施設検索部１３は、ユーザＨが居住している地区にある保育施設や、自宅から検索範囲内にある保育施設の評価値を、ユーザＨが設定しなくても大きな値としてもよい。あるいは、子供を満員電車に載せたくないことを検索条件とする場合、自宅から徒歩圏内の保育施設の優先順位が高く設定されてもよい。
また、第８実施形態では、優先希望順位が吹き出し１１００や、リスト１１１１として表示されているが、この他にも、優先希望順位が高いほど保育施設マークを大きくする等、表示処理部１５が、優先希望順位順に保育施設マークの大きさを変えて表示するようにしてもよい。あるいは、優先希望順位が高いほど赤く、優先希望順位が低いほど青く表示される等、表示処理部１５が保育施設マークの色を優先希望順位によって変えて表示してもよい。
また、吹き出し１１００や、リスト１１１１上にユーザＨがマウスを置くと、その保育施設が、どの検索条件を満たしているのかに関する情報が表示されるようにしてもよい。
【００８５】
このようにして、施設検索部１３は、検索条件の優先順位に対する合致の度合いに応じて優先希望順位を決定し、表示処理部１５は、優先希望順位に関する情報を表示する
第８実施形態によれば、ユーザＨの希望に近い保育施設を検索することが容易となる。
【００８６】
［第９実施形態］
図２５は、第９実施形態に係る施設検索システムの構成例を示す図である。なお、図２５において、図１と同様の構成については同一の符号を付して説明を省略する。
施設検索システム１００ａでは、図１に示す構成に加えて、通知処理部１８及び通知部１９を有している。
また、算出部１４はユーザＨの現在位置と、施設情報２３を基に、子供を迎えにいくために、ユーザＨが現在位置から出発しなければならない時刻を算出する。そして、通知処理部１８は、算出部１４が算出した時刻の所定時間前（例えば、５分前等）に通知部１９にユーザＨに対する通知を行うよう指示する。
【００８７】
通知部１９は、通知処理部１８から通知の指示をうけると、メールや、アラーム等の手段を用いてユーザＨに、現在位置から出発しなければならないことを通知する。
また、施設検索システム１００ａにおいて、算出部１４がユーザＨの現在位置と、施設情報２３を基に、子供を迎えにいくために、ユーザＨが現在位置から出発しなければならない時刻を算出すると、表示処理部１５は、算出部１４が算出した時刻を表示部１６に表示する。
【００８８】
なお、通知処理部１８は、例えば、施設検索装置３０（図２）において、記憶装置３４に格納されているプログラムがメモリ３１に展開され、展開されたプログラムがＣＰＵ３３によって実行されることで具現化している。
同様に、通知部１９は、例えば、ユーザ端末装置４０（図３）において、メモリ４１のプログラムがＣＰＵ４３によって実行されることで具現化している。
【００８９】
第９実施形態によれば、ユーザＨが現在位置から出発しなければならないことが分かるので、子供の送り迎えに遅れる心配がなくなる。また、第９実施形態によれば、通知部１９から通知があった時に、仕事等で現在位置を出発できない場合、保育施設に連絡をすることで、子供を迎えにいくのが遅れることを連絡し忘れることを防止することができる。
また、急な出張等、普段勤めている勤務先と異なる場所にユーザＨがいる場合でも、現在位置を何時に出発する必要があるかをユーザＨが確認することができる。
【００９０】
また、通知処理部１８は、ユーザＨが現在位置から出発しなければならない時刻であるにもかかわらず、ユーザＨが現在位置を出発していない場合、予め登録しておいた人物（配偶者、親族等）の携帯電話や、スマートフォンに対して、その人物が代わりに迎えにいくようメール等で通知をすることも可能である。また、通知処理部１８は、保育施設に向けて代わりの人物が子供を迎えに行くことをメール等で通知することも可能である。さらに、予め登録しておいた人物や、保育施設に通知をした後、ユーザ端末装置４０の表示装置４７（図３）に、予め登録しておいた人物や、保育施設に通知をした旨の表示をすることも可能である。このように、ユーザ端末装置４０の表示装置４７に、予め登録しておいた人物や、保育施設に通知をした旨の表示がされることで、ユーザＨは代わりに迎えに行く人物や、保育施設に電話連絡することができる。
【００９１】
なお、ユーザＨの現在位置はＧＰＳ(Global Positioning System)等の技術を用いて取得される。
【００９２】
ここで、本実施形態における保育施設には、保育園、一時保育対応施設、病児保育施設が含まれる。
なお、本実施形態では、保育施設の検索を前提として説明したが、前記したように、塾や、習い事教室の検索に適用されてもよい。
また、施設検索システム１００は、保育施設の代わりに、自宅から所定距離以内の写真館や、お宮参り等のための神社等の検索に適用されてもよい。この場合の検索対象はユーザＨが設定した時間内で戻れる範囲となる。この場合、施設情報２３に写真館や、神社の情報が格納されている。施設情報２３に、写真館や、神社の情報に料金に関する情報が格納されていれば、料金が表示されてもよい。
また、施設検索システム１００は、保育施設の代わりに、電車や、消防車等、子供の好きなものを見ることができるスポットの検索に適用されてもよい。この場合の検索対象は自宅から徒歩圏内となる。この場合、施設情報２３に電車や、消防車等、子供の好きなものを見ることができるスポットの口コミ情報が格納されている。
【００９３】
また、施設検索システム１００は、保育施設の代わりに、公園の検索に用いられてもよい。この場合、検索対象は自宅から徒歩圏内となることが多い。また、公園の検索条件として、長い滑り台の有無や、ボール遊びができる空間の有無等が設定されてもよい。このような検索条件は、施設情報２３に、公園に設置されている施設情報等が格納されることで実現可能である。
【００９４】
さらに、施設検索システム１００は、保育施設の代わりに、児童館や、プール、図書館等の検索に用いられてもよい。この場合、検索対象は自宅から徒歩圏内となることが多い。このような検索は、施設情報２３に児童館や、区民プール、図書館等の情報が格納されることで実現可能である。
また、施設検索システム１００は、保育施設の代わりに、祭り（例えば、子供神輿がでる祭り）、図書館の朗読会等の検索に用いられてもよい。この場合、検索対象は自宅から徒歩圏内となることが多い。このような検索は、図示しないイベント情報に祭りや、図書館の朗読会等の情報が格納されることで実現可能である。
【００９５】
さらに、施設検索システム１００は、保育施設の代わりに、会社帰りに立ち寄ることができるスーパー（大規模商業施設）等の検索に用いられてもよい。あるいは、施設検索システム１００は、子供を迎えに行く際に立ち寄ることができるスーパー等の検索に用いられてもよい。このような検索は、施設情報２３にスーパー等の情報が格納され、経由地として保育施設が指定されることで実現可能である。
また、予めユーザＨが入力部１１を介して、検索範囲を指定することで、ユーザＨが行動できる範囲内での施設検索も可能である。
【００９６】
また、算出部１４が、二次検索結果の画面に表示されている各保育施設に寄った場合、到着希望時刻に目的地に到着するには何時に出発地を出発すればよいかを算出し、表示処理部１５が保育施設毎に算出結果をリストとして表示してもよい。同様に、算出部１４が、二次検索結果の画面に表示されている保育施設に寄った場合、出発希望時刻に出発地を出発すると、何時に目的地に到着するかを算出し、表示処理部１５が保育施設毎に算出結果をリストとして表示してもよい。
【００９７】
本発明は前記した実施形態に限定されるものではなく、様々な変形例が含まれる。例えば、前記した実施形態は本発明を分かりやすく説明するために詳細に説明したものであり、必ずしも説明したすべての構成を有するものに限定されるものではない。また、ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることが可能である。
【００９８】
また、前記した各構成、機能、各部１１〜１９、地図情報２１（地図情報ＤＢ６１）、交通情報２２（交通情報ＤＢ６２）、施設情報２３（施設情報ＤＢ６３）、検索履歴情報２４等は、それらの一部又はすべてを、例えば集積回路で設計すること等によりハードウェアで実現してもよい。また、図２、図３に示すように、前記した各構成、機能等は、ＣＰＵ等のプロセッサがそれぞれの機能を実現するプログラムを解釈し、実行することによりソフトウェアで実現してもよい。各機能を実現するプログラム、テーブル、ファイル等の情報は、ＨＤに格納すること以外に、メモリや、ＳＳＤ（Solid State Drive）等の記録装置、又は、ＩＣ（Integrated Circuit）カードや、ＳＤ（Secure Digital）カード、ＤＶＤ（Digital Versatile Disc）等の記録媒体に格納することができる。
また、各実施形態において、制御線や情報線は説明上必要と考えられるものを示しており、製品上必ずしもすべての制御線や情報線を示しているとは限らない。実際には、ほとんどすべての構成が相互に接続されていると考えてよい。
【符号の説明】
【００９９】
１１    入力部
１２    経路検索部
１３    施設検索部
１４    算出部
１５    表示処理部
１６    表示部
１７    情報受付部
１８    通知処理部
１９    通知部
２１    地図情報
２２    交通情報
２３    施設情報
２４    検索履歴情報
３０    施設検索装置
４０    ユーザ端末装置
１００  施設検索システム
３２１，４３０〜４３２，４３４，５２１，６３０〜６３２，６４１，７３１，７３２，８０１，８１０，８１１〜８１３  保育施設マーク（施設マーク）
２１１〜２１４，４４１〜４４３，５１１，６１１〜６１５，７１１〜７１６，７１８，７１９，８４２，８４３，９０１〜９０３  経路
４２１，５２１，５３１〜５３３，６２１〜６２４，７２１〜７２３  検索範囲
８３１  推奨マーク
１１００  吹き出し（優先希望順位）
１１１１  リスト（優先希望順位）
【図１】
0006416586.tif 000002
【図２】
0006416586.tif 000003
【図３】
0006416586.tif 000004
【図４】
0006416586.tif 000005
【図５】
0006416586.tif 000006
【図６】
0006416586.tif 000007
【図７】
0006416586.tif 000008
【図８】
0006416586.tif 000009
【図９】
0006416586.tif 000010
【図１０】
0006416586.tif 000011
【図１１】
0006416586.tif 000012
【図１２】
0006416586.tif 000013
【図１３】
0006416586.tif 000014
【図１４】
0006416586.tif 000015
【図１５】
0006416586.tif 000016
【図１６】
0006416586.tif 000017
【図１７】
0006416586.tif 000018
【図１８】
0006416586.tif 000019
【図１９】
0006416586.tif 000020
【図２０】
0006416586.tif 000021
【図２１】
0006416586.tif 000022
【図２２】
0006416586.tif 000023
【図２３】
0006416586.tif 000024
【図２４】
0006416586.tif 000025
【図２５】
0006416586.tif 000026